(57)【要約】【課題】携帯型情報端末を安定して操作できる携帯型情報端末用ケースを提供する。【解決手段】携帯型情報端末用ケース１０は、スマートフォンの側面および背面が嵌め込まれるケース本体１００と、ケース本体１００が取り付けられる保護カバー２００と、を備える。ケース本体１００は、ケース本体１００の背面に、保護カバー２００に取り付けるためのフック１１０を不動に備える。保護カバー２００は、保護カバー２００の内面に、フック１１０が引っ掛けられる差込帯２１０を備える。そして、ケース本体１００において、フック１１０は、差込帯２１０への引っ掛け方向に対して垂直な方向について、ケース本体１００の幅に対して、ケース本体１１０の両側面から１／６以内の位置に、フック１１０の両端部がそれぞれ位置するように設けられる。【選択図】図１
2014155135.tif 000002
【特許請求の範囲】
【請求項１】
携帯型情報端末用ケースであって、
前記携帯型情報端末は、平板状の形状を有するとともに、前記携帯型情報端末の前面にタッチパネルを備えており、
前記携帯型情報端末用ケースは、
前記携帯型情報端末の側面および背面が嵌め込まれるケース本体と、
前記ケース本体が取り付けられる保護カバーと、を備え、
前記ケース本体は、前記ケース本体の背面に、前記保護カバーに取り付けるためのフックを不動に備えており、
前記保護カバーは、前記保護カバーの内面に、前記フックが引っ掛けられる引掛部を備えており、
前記ケース本体において、前記フックは、前記引掛部への引っ掛け方向に対して垂直な方向について、前記ケース本体の両側面から前記ケース本体の幅に対して１／６以内の位置に、前記フックの両端部がそれぞれ位置するように設けられている、
携帯型情報端末用ケース。
【請求項２】
請求項１記載の携帯型情報端末用ケースであって、
前記引掛部への引っ掛け方向に対して垂直な方向について、前記フックの幅は、前記ケース本体の幅の２／３よりも広い、
携帯型情報端末用ケース。
【請求項３】
請求項１または２に記載の携帯型情報端末用ケースであって、
前記フックの幅と前記引掛部の幅とは、ほぼ等しい、
携帯型情報端末用ケース。
【請求項４】
請求項１ないし３のいずれかに記載の携帯型情報端末用ケースであって、
前記フックおよび前記引掛部の少なくとも一方は、前記フックの引っ掛け方向に並べて、複数設けられている、
携帯型情報端末用ケース。
【請求項５】
請求項４記載の携帯型情報端末用ケースであって、
前記フックおよび前記引掛部は、同時に引っ掛かる位置に、複数設けられている、
携帯型情報端末用ケース。
【請求項６】
請求項１ないし５のいずれかに記載の携帯型情報端末用ケースであって、
前記ケース本体において、前記フックは、前記フックの引っ掛け方向についての前記ケース本体の幅の中央からずれた位置に設けられている、
携帯型情報端末用ケース。
【請求項７】
請求項１ないし６のいずれかに記載の携帯型情報端末用ケースであって、
前記フックの幅は、国際標準化機構および国際電気標準会議で定められた国際規格であって、カードの形状を定めた国際規格におけるＩＤ−１規格に準拠したカードの短手方向または長手方向の幅とほぼ等しい、
携帯型情報端末用ケース。
【発明の詳細な説明】
【技術分野】
【０００１】
本発明は、携帯型情報端末用ケースに関するものである。
【背景技術】
【０００２】
近年、携帯電話や、いわゆるスマートフォン（多機能携帯電話）、タブレット型端末等の携帯型情報端末が普及している。そして、従来、このような携帯型情報端末を、落下による衝撃から保護したり、携帯型情報端末を収納して持ち運んだりするためのケースについて、種々の技術が提案されている。例えば、下記特許文献１には、スマートフォンケースにクリップを設け、衣類のポケット等に挟んでスマートフォンを保持する技術が記載されている。また、携帯電話等の収納ケースにクリップを設け、腰部ベルトやカバンのポケット等に挟んで持ち運ぶことを可能とする技術も多数提案されている。
【先行技術文献】
【特許文献】
【０００３】
【特許文献１】実用新案登録第３１７０１８２号公報
【発明の概要】
【発明が解決しようとする課題】
【０００４】
スマートフォンや、タブレット型端末は、一般に、平板状の形状を有しており、その表面（前面）にタッチパネルを備えており、タッチパネルで情報の入力、検索など多種多様な操作を行うことができる。これらの携帯型情報端末は、使用者によって使用態様が多種多様であるため、これらを使用する場面に応じて利便性の高いケースの形態は多様である。そして、いずれの使用場面においても、ケース本体を保護カバーに取り付けたまま、安定して携帯型情報端末（タッチパネル）を操作できることが望まれる。しかし、このような携帯型情報端末のケースについては、従来、考慮されていなかった。
【０００５】
本発明は、上述の課題を解決するためになされたものであり、携帯型情報端末を安定して操作できる携帯型情報端末用ケースを提供することを目的とする。
【課題を解決するための手段】
【０００６】
上述の課題の少なくとも一部を解決するため、本発明では、以下の構成を採用した。
本発明は、携帯型情報端末用ケースであって、
前記携帯型情報端末は、平板状の形状を有するとともに、前記携帯型情報端末の前面にタッチパネルを備えており、
前記携帯型情報端末用ケースは、
前記携帯型情報端末の側面および背面が嵌め込まれるケース本体と、
前記ケース本体が取り付けられる保護カバーと、を備え、
前記ケース本体は、前記ケース本体の背面に、前記保護カバーに取り付けるためのフックを不動に備えており、
前記保護カバーは、前記保護カバーの内面に、前記フックが引っ掛けられる引掛部を備えており、
前記ケース本体において、前記フックは、前記引掛部への引っ掛け方向に対して垂直な方向について、前記ケース本体の幅に対して、前記ケース本体の両側面から１／６以内の位置に、前記フックの両端部がそれぞれ位置するように設けられていることを要旨とする。
【０００７】
ここで、「不動」とは、フックが、ケース本体の背面に固定されていることを意味している。例えば、フックは、ケース本体の背面に一体的に形成してあってもよいし、ケース本体とは別途用意された部品を接着、ネジ止め、その他の方法によって背面に固定してあってもよい。
【０００８】
本発明によれば、携帯型情報端末が嵌め込まれたケース本体を、保護カバーに取り付けるためのフックの両端は、ケース本体の幅に対して、ケース本体の両側面から１／６以内の位置に来るよう設けられている。例えば、ケースの背面に、両端がかかる位置に来るほどの幅広い１つのフックを形成してもよいし、ケースの背面に２個以上のフックを設け、その最も両端、あるいは外側が、かかる位置になるようにしてもよい。
ケース本体がわずかに傾いた時でも、その傾きはケース本体の両側付近では大きな変位となることを考えれば、ケース本体の対称軸から離れた位置にフックを形成した方がケース本体の傾きを抑制するには効果的である。本発明では、フックの両端をケース本体の両側面付近、すなわち、対称軸から離れた位置に来るように形成しているため、ケース本体を、傾きを抑制しつつ、安定的に保護カバーに取り付けることができる。従って、本発明によれば、携帯型情報端末のタッチパネルを安定して操作することができる。
【０００９】
また、本発明の携帯型情報端末用ケースは、ケース本体の背面に備えられたフックを、保護カバーに備えられた引掛部に引っ掛けるという、比較的簡易な構成を有している。したがって、携帯型情報端末が嵌め込まれたケース本体を、保護カバーから取り外して利用することもできる。このように着脱可能とすることにより、携帯情報端末を保護カバー有り／無しという多様な態様で利用することができ、利便性を向上させることができる。
【００１０】
本発明において、ケース本体の背面に備えられるフックの数は、１つとしてもよいし、複数としてもよい。フックの数を複数とする場合には、「フックの両端部」とは、一端側に配置されたフックの外側の端部、および、他端側に配置されたフックの外側の端部を意味する。これらのフックは左右対称に設けられていても良いし、非対称であっても構わない。
【００１１】
本発明の携帯型情報端末用ケースにおいて、
前記引掛部への引っ掛け方向に対して垂直な方向について、前記フックの幅は、前記ケース本体の幅の２／３よりも広いものとしてもよい。つまり、幅広のフックを設ける態様である。
【００１２】
かかる場合でも、フックの両端は、ケース本体の両端から１／６以下に位置することになるから、ケース本体を安定して取り付けることができる。
また、このように幅広のフックを用いる場合には、複数のフックを用いる場合よりも、保護カバーに着脱しやすいという利点、フック自体の強度を向上させることができるため、樹脂などでフックを形成した場合でもその寿命を向上させることができるという利点がある。
上述の態様における幅広のフックは、ケース本体の中央に左右対称に形成してもよいし、非対称の位置に形成してもよい。
【００１３】
また、本発明の携帯型情報端末用ケースにおいて、
前記フックの幅と前記引掛部の幅とは、ほぼ等しいものとしてもよい。
【００１４】
こうすることによって、引掛部に対するフックの傾きの自由度が抑制されることになるから、保護カバーに対するケース本体の傾きを抑制できる。
フックの幅と引掛部の幅は、必ずしもフック全体にわたって等しくする必要はなく、フックの最も幅広の部分において等しくなっていればよい。例えば、先端ほど細くなるテーパ形状のフックを用いる場合には、引掛部の幅は、フックの付け根付近の最も幅が広い部分でほぼ等しくなるようにしておけばよい。こうすることで、安定的にケース本体を保持しつつ、ケース本体を着脱しやすくすることができる。
【００１５】
また、本発明の携帯型情報端末用ケースにおいて、
前記フックおよび前記引掛部の少なくとも一方は、前記フックの引っ掛け方向に並べて、複数設けられているものとしてもよい。
例えば、携帯型情報端末を上から下向きに引掛部に引っ掛けるようにフックを形成する場合には、フックまたは引掛部を上下方向に複数配置する態様が該当する。また、携帯型情報端末を左右方向に引掛部に引っ掛けるようにフックを形成する場合には、フックまたは引掛部を左右方向に複数配置する態様が該当する。
【００１６】
こうすることによって、いずれのフックと引掛部を用いて引っ掛けるかによって、ケース本体を保護カバーに取り付けるときの、両者の相対的な位置関係を柔軟に変更することができる。したがって、ユーザの利便性を向上させることができる。
【００１７】
また、上記携帯型情報端末用ケースにおいて、
前記フックおよび前記引掛部は、同時に引っ掛かる位置に、複数設けられているものとしてもよい。
例えば、携帯型情報端末を上から下向きに引掛部に引っ掛けるようにフックを形成する場合には、フックおよび引掛部を、それぞれ上下方向に同時に引っ掛けることができる位置に複数配置する態様が該当する。
【００１８】
こうすることよって、フックと引掛部とが引っ掛かる部位が一箇所である場合よりも、ケース本体を、より安定的に保護カバーに取り付けることができる。
かかる態様において、フックおよび引掛部は同一形状である必要はない。また、全てのフックが、ケース本体の両側から１／６以内に両端が位置するように形成されている必要もない。例えば、上下方向に複数のフックおよび引掛部を設ける場合、下側には比較的、幅が細いフックを形成し、上側にはケース本体の両側から１／６以内に両端が来るような幅が広いフックを形成してもよい。複数のフックを用いる場合には、着脱がしにくくなる弊害を生じることがあるが、このようにすることで、こうした弊害を緩和することができる。
【００１９】
また、本発明の携帯型情報端末用ケースにおいて、
前記ケース本体において、前記フックは、前記フックの引っ掛け方向についての前記ケース本体の幅の中央からずれた位置に設けられているものとしてもよい。
例えば、携帯型情報端末を上から下向きに引掛部に引っ掛けるようにフックを形成する場合には、フックを、上下方向の中央よりも上側または下側にずらした位置に形成する態様が該当する。
上側にずらした場合には、携帯型情報端末の重心が引掛部よりも下に来るようにできるため、携帯型情報端末を安定させることができる。逆に下側にずらした場合には、引っ掛ける際に携帯型情報端末の上端と保護カバーとの間にすき間ができやすくなるため、着脱しやすくなる利点がある。
このようにフックを敢えて中央からずらして形成することにより、その位置に応じた利点が生じる。
【００２０】
また、本発明の記載の携帯型情報端末用ケースにおいて、
前記フックの幅は、国際標準化機構および国際電気標準会議で定められた国際規格であって、カードの形状を定めた国際規格におけるＩＤ−１規格に準拠したカードの短手方向または長手方向の幅とほぼ等しいものとしてもよい。
【００２１】
こうすることによって、例えば、携帯型情報端末が嵌め込まれたケース本体を、保護カバーから取り外して、一般的に普及しているカードケース、パスケース、あるいは、カバンの内部等に設けられたカード（クレジットカード、キャッシュカード、プリペイドカード、定期券等）用のポケットに取り付けて利用することができる。したがって、ユーザの利便性を向上させることができる。
【００２２】
なお、上記国際規格におけるＩＤ−１規格では、カードのサイズを、８５．６０×５３．９８（ｍｍ）と定めている。そして、本発明において、「国際規格におけるＩＤ−１規格に準拠したカードの短手方向または長手方向の幅とほぼ等しい」とは、カードの短手方向または長手方向の幅について、１０（％）以内の寸法誤差を許容する。
【図面の簡単な説明】
【００２３】
【図１】本発明の第１実施例としての携帯型情報端末用ケース１０の概略構成を示す説明図である。
【図２】保護カバー２００の概略構成を示す説明図である。
【図３】ケース本体１００の概略構成を示す説明図である。
【図４】ケース本体１００の概略構成を示す説明図である。
【図５】本発明の第２実施例としての携帯型情報端末用ケースにおけるケース本体１００Ａの概略構成を示す説明図である。
【図６】本発明の第２実施例としての携帯型情報端末用ケースにおける保護カバー２００Ａの概略構成を示す説明図である。
【図７】本発明の第３実施例としての携帯型情報端末用ケースにおけるケース本体１００Ｂの概略構成を示す説明図である。
【図８】本発明の第３実施例としての携帯型情報端末用ケースにおける保護カバー２００Ｂの概略構成を示す説明図である。
【図９】本発明の第４実施例としての携帯型情報端末用ケースにおけるケース本体１００Ｃの概略構成を示す説明図である。
【図１０】本発明の第４実施例としての携帯型情報端末用ケースにおける保護カバー２００Ｃの概略構成を示す説明図である。
【図１１】ケース本体１００Ｃにおけるフック１１０Ｃの周辺を詳細に示す右側面図である。
【図１２】本発明の第５実施例としての携帯型情報端末用ケースにおけるケース本体１００Ｄの概略構成を示す説明図である。
【図１３】本発明の第５実施例としての携帯型情報端末用ケースにおける保護カバー２００Ｄの概略構成を示す説明図である。
【発明を実施するための形態】
【００２４】
以下、本発明の実施の形態について、実施例に基づき説明する。
Ａ．第１実施例：
図１は、本発明の第１実施例としての携帯型情報端末用ケース１０の概略構成を示す説明図である。図示するように、本実施例の携帯型情報端末用ケース１０は、ケース本体１００と、保護カバー２００とを備えている。ケース本体１００は、後述するように、ケース本体１００の背面に設けられたフック１１０を、保護カバー２００に設けられた差込帯２１０に引っ掛けることによって、着脱可能に取り付けられる。
【００２５】
本実施例では、携帯型情報端末として、スマートフォンを用いた例を示す。スマートフォンは、平面形状が縦長の略矩形をした平板状の形状を有するとともに、前面にタッチパネルを備えている。また、スマートフォンは、その側面に各種端子や、操作スイッチ等を備えている。
ケース本体１００には、スマートフォンの背面および側面（周縁部）が嵌め込まれる。すなわち、ケース本体１００の前面からは、スマートフォンの前面に備えられたタッチパネルが露出するため、ケース本体１００にスマートフォンを装着したまま、タッチパネルを操作することが可能である。
以下の説明では、説明の便宜上、スマートフォンの長手方向（図中の上下方向）を上下と呼び、短手方向（図中の左右方向）を左右と呼ぶ。また、本実施例では、フック１１０を上方向から下方向に差込帯２１０に引っ掛けるため、上から下に向かう方向を、引っ掛け方向と呼ぶこともある。
【００２６】
また、本実施例の携帯型情報端末用ケース１０は、図から分かるように、手帳型の形状を有している。図１は、保護カバー２００を開いた状態を示している。ケース本体１００は、保護カバー２００の内面における右半面に取り付けられ、スマートフォンの長辺に対して平行な軸を中心として、左開きで使用されるものとした。以下、保護カバー２００が取り付けられる右半面を「装着面」と呼び、スマートフォンを覆うフタにあたる左半面の部分を「フラップ面」と呼ぶこともある。保護カバー２００は、ケース本体１００のほぼ全面を覆うことができるサイズおよび形状を有している。
【００２７】
図２は、保護カバー２００の概略構成を示す説明図である。図２に、保護カバー２００を左右に開いた状態での内側正面図を示した。保護カバー２００において、装着面には、ケース本体１００の背面に設けられたフック１１０が引っ掛けられる差込帯２１０が設けられている。差込帯２１０は、本発明における引掛部に相当する。この差込帯２１０の横方向の幅Ｗｃは、ケース本体１００の取付面の幅とほぼ同じである。また、差込帯２１０の上下方向の長さＬｃは、幅Ｗｃのほぼ半分程度となっている。
保護カバー２００には、ケース本体１００に形成された、後述するカメラホールと対応する位置に、カメラホール２４０が形成されているが、これを省略しても構わない。
【００２８】
保護カバー２００の左側のフラップ面には、メモ帳（図示省略）を挟み込むことが可能な帯状または袋状のメモ帳挟込部２２０が設けられている。
保護カバー２００の中央部には、上下方向に筆記具（図示省略）を挿抜可能な帯状の筆記具差込部２３０が設けられている。保護カバー２００をこのような構成とすることによって、スマートフォンと、筆記具と、メモ帳とをひとまとめにして携帯することができる。また、スマートフォンを操作しながら、必要に応じて、筆記具、メモ帳を利用することもできる。これらは、後述する他の実施例においても同様である。
【００２９】
保護カバー２００の外面には、例えば、ファッション性を向上させるために、種々のデザイン、装飾を施してもよい。保護カバー２００の外面に、例えば、非接触型ＩＣカード等のカードケースを設けるようにしてもよい。保護カバー２００は、例えば、天然皮革、合成皮革、布等、種々の材料を用いて作製することができる。これらは、後述する他の実施例においても同様である。
【００３０】
図３は、ケース本体１００の概略構成を示す説明図である。図３（ａ）に、前面側から見たときのケース本体１００の斜視図を示した。また、図３（ｂ）に、背面側から見たときのケース本体１００の斜視図を示した。
図示するように、ケース本体１００は、対象となるスマートフォンの形状とほぼ同等の平面形状となっており、側面１００ＳＲ、１００ＳＬはスマートフォンの外周とほぼ同等の形状となっている。側面部は、ケース本体１００に嵌め込まれたスマートフォンを脱落しないように保持する機能を果たす。ケース本体１００は、例えば、ポリカーボネイト、シリコンゴム、熱可塑性ポリウレタン等、種々の耐衝撃性を有する材料によって、一体的に成形される。
ケース本体１００の背面において、スマートフォンが備えるカメラと対応する位置に、カメラホール１５０が形成されている。このカメラホール１５０の位置は、ケース本体１００を保護カバー２００に取り付けたときに、保護カバー２００に形成されたカメラホール２４０の位置とほぼ一致する。
ケース本体１００の背面には、フック１１０が形成されている。フック１１０は、背面の一部に矩形状の切り込みを入れ、外側に段差を持って折り曲げたような形状に形成されている。フック１１０は、ケース本体１００と一体的に形成されるため、背面に孔部（符号省略）を設けずに形成することも可能ではあるが、このような孔部を形成することによって、ケース本体１００の製造時に型から抜きやすいなどの利点が生じコストの上昇を抑制することができる。
本実施例では、ケース本体１００とフック１１０とは一体的に形成するものとしたが、両者を別体とした上で、ケース本体１００にフック１１０を接着等して固定するようにしてもよい。
【００３１】
また、本実施例では、ケース本体１００の側面部において、図示した上側側面部、下側側面部、左側側面部には、スマートフォンの側面に備えられた各種端子や操作スイッチ等と対応する位置に、それぞれ、切欠部１２０，１３０，１４０が設けられている。こうすることによって、ユーザは、スマートフォンをケース本体１００に嵌め込んだまま、スマートフォンの各種端子や操作スイッチ等を使用することができる。これらは、後述する他の実施例においても同様である。
【００３２】
図４は、ケース本体の概略構成を示す説明図である。図４（ａ）に、ケース本体１００の正面図を示した。また、図４（ｂ）に、ケース本体１００の右側面図を示した。
図示するように、フック１１０の横方向の幅Ｗｆは、保護カバー２００に設けられた差込帯２１０の横方向の幅Ｗｃ（図２参照）と、ほぼ等しいものとした。こうすることで、ケース本体１００を保護カバー２００に取り付けたときに、その傾きを抑制することができる。
【００３３】
フック１１０の幅Ｗｆは、角のＲ部分を除いたスマートフォンの幅とほぼ同等とした。この結果、フック１１０の幅Ｗｆは、ケース本体１００の短手方向の幅ＷＳの９５（％）程度となっている。
このようにフック１１０の幅Ｗｆを広くすることによって、ケース本体１００を、より安定的に保護カバー２００に取り付けることができる。
【００３４】
フック１１０の幅Ｗｆは、任意に設定可能であるが、ケース本体１００を安定的に装着するためには、少なくともケース本体１００の短手方向の幅ＷＳの２／３以上とすることが好ましい。換言すれば、ケース本体１００の両側面１００ＳＲ，１００ＳＬからフック１１０の両端部１１０ＳＲ，１１０ＳＬまでの間隔が幅ＷＳの１／６以内とすることが好ましい。こうすることによって、ケース本体１００が傾いた時に、中心の対称軸から離れた位置でフック１１０がその傾きを抑制することになるため、ケース本体１００を、より安定的に保護カバー２００に取り付けることができる。
【００３５】
本実施例では、ケース本体１００のフック１１０を左右対称に形成しているが、非対称であってもよい。ただし、左右対称とすることによって、ケース本体１００を保護カバー２００に取り付けたときのバランスを良好に維持することができる。
【００３６】
ケース本体１００において、フック１１０は、上下方向の中心軸Ｃから、上方にずれた位置に設けられている。こうすることによって、保護カバー２００への装着時のケース本体１００の重心は、フック１１０よりも下方に位置することになるため、ケース本体１００を、より安定的に保護カバー２００に取り付けることができる。
【００３７】
フック１１０の幅Ｗｆは、国際標準化機構および国際電気標準会議で定められた国際規格であって、カードの形状を定めた国際規格におけるＩＤ−１規格に準拠したカードの短手方向の幅とほぼ等しいものとした。ＩＤ−１規格では、カードのサイズを、８５．６０×５３．９８（ｍｍ）と定めているため、フック１１０の幅Ｗｆは約８５．６０ｍｍである。１０（％）程度の寸法誤差はあってもよい。
フック１１０の幅Ｗｆをこのように定めることによって、例えば、ケース本体１００を、保護カバー２００から取り外して、一般的に普及しているカードケース、パスケース、あるいは、カバンの内部等に設けられたカード（クレジットカード、キャッシュカード、プリペイドカード、定期券等）用のポケットに取り付けて利用した場合であっても、そのポケットに対してフック１１０がほぼ同じ幅であるため、ケース本体１００を安定させることができる。したがって、スマートフォンの利用態様の多様性を増すことができ、ユーザの利便性を向上させることができる。
【００３８】
フック１１０の上下方向の長さＬｆは、保護カバー２００に設けられた差込帯２１０の幅Ｌｃとほぼ等しいか若干長くしてある。そして、図４に示したように、フック１１０には、差込帯２１０と接触する側に、左右方向に３本の突条部１１２ａ，１１２ｂ，１１２ｃが設けられている。この各突条部１１２ａ，１１２ｂ，１１２ｃの頂上部とケース本体１００の背面との間隔は、差込帯２１０の厚さよりも狭くなるように設定されている。こうすることによって、フック１１０を差込帯２１０にしっかりと固定することができる。
【００３９】
以上説明した第１実施例の携帯型情報端末用ケース１０では、携帯型情報端末としてのスマートフォンが嵌め込まれたケース本体１００を、ガタつきなく安定的に保護カバー１００に取り付けることができる。したがって、スマートフォンおよびケース本体１００を保護カバー２００に取り付けたまま、スマートフォン（タッチパネル）を安定して操作することができる。
【００４０】
Ｂ．第２実施例：
第２実施例の携帯型情報端末用ケースは、第１実施例の携帯型情報端末用ケース１０と同様に、ケース本体１００Ａと、保護カバー２００Ａとを備えている。ただし、第２実施例では、ケース本体１００Ａおよび保護カバー２００Ａは、第１実施例におけるケース本体１００および保護カバー２００と、その一部において、それぞれ形状が異なっている。以下、第２実施例の携帯型情報端末用ケースにおけるケース本体１００Ａおよび保護カバー２００Ａについて説明する。
【００４１】
図５は、本発明の第２実施例としての携帯型情報端末用ケースにおけるケース本体１００Ａの概略構成を示す説明図である。図５（ａ）に、ケース本体１００Ａの正面図を示した。また、図５（ｂ）に、ケース本体１００Ａの右側面図を示した。
【００４２】
図５に示したように、ケース本体１００Ａは、背面に２つのフック１１０ａ，１００ｂを備えている。これら２つのフック１１０ａ，１１０ｂは、引っ掛け方向、つまり上下に並べて設けられている。
２つのフック１１０ａ，１００ｂはほぼ同等の形状とした。つまり、両者の横方向の幅Ｗｆは等しく、縦方向の長さＬｆａ、Ｌｆｂも等しい。各フックの寸法は、それぞれ第１実施例と同様である。
また、フック１１０ａ，１１０ｂの幅Ｗｆは、後述する２つの差込帯２１０ａ，２１０ｂ（図６参照）の横方向の幅Ｗｃとほぼ等しい。また、フック１１０ａ，１１０ｂの縦方向の長さＬｆａ，Ｌｆｂは、２つの差込帯２１０ａ，２１０ｂの縦方向の幅Ｌｃａ，Ｌｃｂとほぼ等しい。フック１１０ａ，１１０ｂに、第１実施例と同様の突条部１１２ａ１１２ｂ，１１２ｃを備えるようにしてもよい。
【００４３】
図６は、本発明の第２実施例としての携帯型情報端末用ケースにおける保護ケース２００Ａの概略構成を示す説明図である。図６に、保護ケース２００Ａを左右に開いた状態での内側正面図を示した。保護ケース２００Ａにおいて、右側の装着面には、２つの差込帯２１０ａ，２１０ｂが設けられている。２つの差込帯２１０ａ，２１０ｂの横方向の幅Ｗｃは同じであり、装着面のほぼ全幅にわたっている。また、差込帯２１０ａ、２１０ｂの縦方向の幅Ｌｃａ、Ｌｃｂも同じとした。
差込帯２１０ａ，２１０ｂは、ケース本体１００Ａの２つのフック１１０ａ，１１０ｂが同時に引っ掛かけられる位置に設けられている。
【００４４】
第２実施例では、このように、フックと差込帯とを同時に複数箇所で引っ掛けられるようにすることによって、スマートフォンが嵌め込まれたケース本体１００Ａを、より安定的に保護カバー２００Ａに取り付けることができる。
【００４５】
第２実施例では、各フック１１０ａ、１１０ｂおよび差込帯２１０ａ，２１０ｂを同一形状としたが、フック１００ａと幅広に、フック１００ｂを細くするなど、両者は異なる形状としてもよい。例えば、フック１００ａについてはその両端部１１０ａＳＲ，１１０ａＳＬが、ケース本体１００Ａの両側面１００ＳＲ，１００ＳＬから幅ＷＳの１／６以内の位置に来るような形状としつつ、フック１１０ｂはもっと細く、すなわち、その両端部１１０ｂＳＲ，１１０ｂＳＬが幅ＷＳから１／６以上離れたところに位置するような形状としてもよい。
【００４６】
Ｃ．第３実施例：
第３実施例の携帯型情報端末用ケースは、第１実施例の携帯型情報端末用ケース１０と同様に、ケース本体１００Ｂと、保護カバー２００Ｂとを備えている。ただし、第３実施例では、ケース本体１００Ｂおよび保護カバー２００Ｂは、第１実施例におけるケース本体１００および保護カバー２００と、その一部において、それぞれ形状が異なっている。以下、第３実施例の携帯型情報端末用ケースにおけるケース本体１００Ｂおよび保護カバー２００Ｂについて説明する。
【００４７】
図７は、本発明の第３実施例としての携帯型情報端末用ケースにおけるケース本体１００Ｂの概略構成を示す説明図である。図７に、ケース本体１００Ｂの正面図を示した。ケース本体１００Ｂは、第１実施例におけるケース本体１００、第２実施例におけるケース本体１００Ａと同様に、ケース本体１００Ｂの背面にフック１１０Ｂを備えている。
フック１１０Ｂは、ケース本体１００Ｂの上下方向の長さＷＬの中心軸Ｃ上の位置に設けられている。フック１１０Ｂの形状は、第１実施例と同じである。
【００４８】
図８は、本発明の第３実施例としての携帯型情報端末用ケースにおける保護カバー２００Ｂの概略構成を示す説明図である。図８に、保護カバー２００Ｂを左右に開いた状態での内側正面図を示した。保護カバー２００Ｂにおいて、右側の装着面には、差込帯２１０Ｂが設けられている。差込帯２１０Ｂの形状も、第１実施例と同じである。
差込帯２１０Ｂは、図示した縦方向の中央部に配置されている。
本実施例では、このように、ケース本体１００Ｂのフック１１０Ｂおよび保護カバー２００Ｂの差し込み帯２１０Ｂが、ともに上下方向の対称軸上の位置に設けられている。したがって、ケース本体１００Ｂを上下いずれの向きでも装着面に取り付けることができるため、保護カバー２００Ｂは左開き、右開きのいずれで使用可能となる。
保護カバー２００Ｂには、図示するように左開き用のカメラホール２４０ａと、右開き用のカメラホール２４０ｂの２つを設けても良い。
【００４９】
Ｄ．第４実施例：
第４実施例の携帯型情報端末用ケースは、第１実施例の携帯型情報端末用ケース１０と同様に、ケース本体１００Ｃと、保護カバー２００Ｃとを備えている。ただし、第４実施例では、ケース本体１００Ｃおよび保護カバー２００Ｃは、第１実施例におけるケース本体１００および保護カバー２００と、その一部において、それぞれ形状が異なっている。また、本実施例の携帯型情報端末用ケースは、左半面にスマートフォンが装着され、右開きで使用される。従って、第４実施例では、左半面を装着面、右半面をフラップ面と呼ぶものとする。
以下、第４実施例の携帯型情報端末用ケースにおけるケース本体１００Ｃおよび保護カバー２００Ｃについて説明する。
【００５０】
図９は、本発明の第４実施例としての携帯型情報端末用ケースにおけるケース本体１００Ｃの概略構成を示す説明図である。図９に、ケース本体１００Ｃの正面図を示した。図９では、ケース本体１００Ｃの側面図は省略しているが、ケース本体１００Ｃは、第１実施例におけるケース本体１００、第２実施例におけるケース本体１００Ａと同様に、ケース本体１００Ｃの背面にフック１１０Ｃを備えている。そして、本実施例では、ケース本体１００Ｃにおいて、フック１１０Ｃは、ケース本体１００Ｃの中央Ｃより上にずれた位置に設けられている。フック１１０Ｃの形状は、第１実施例とほぼ同様であるが、縦方向の長さＬｆＣは、第１実施例よりも若干、短くなっている。
【００５１】
図１０は、本発明の第４実施例としての携帯型情報端末用ケースにおける保護カバー２００Ｃの概略構成を示す説明図である。図１０に、保護カバー２００Ｃを左右に開いた状態での内側正面図を示した。保護カバー２００Ｃにおいて、左側の装着面には３つの差込帯２１０Ｃ１，２１０Ｃ２，２１０Ｃ３が設けられている。３つの差込帯２１０Ｃ１，２１０Ｃ２，２１０Ｃ３は同一形状である。つまり、各差込帯２１０Ｃ１，２１０Ｃ２，２１０Ｃ３の幅Ｗｃおよび縦方向の幅ＬｃＣ１、ＬｃＣ２、ＬｃＣ３は同一であるが、フック１００Ｃの長さＬｆＣよりも狭くなっている。保護カバー２００Ｃにおいて、右側のフラップ面には、メモ帳挟込部２２０Ｃが設けられている。
【００５２】
図１１は、ケース本体１００Ｃにおけるフック１１０Ｃの周辺を詳細に示す右側面図である。図１１（ａ）に、フック１１０Ｃが、差込帯２１０Ｃ１等に引っ掛けられていない場合の様子を示した。また、図１１（ｂ）に、フック１１０Ｃが、差込帯２１０Ｃ１等に引っ掛けられている場合の様子を示した。
【００５３】
ケース本体１００Ｃの背面とフック１１０Ｃとの間隙Ｄは、差込帯２１０Ｃ１，２１０Ｃ２，２１０Ｃ３の厚さｄとほぼ等しくなっている。また、フック１１０Ｃの先端には、幅方向に沿って、ケース本体１００Ｃの前面側に突出する爪部１１２Ｃが設けられている。図１１に示したように、爪部１１２Ｃには、フック１１０Ｃを差込帯２１０Ｃ１等に引っ掛けやすいように、ケース本体１００Ｃの背面とのなす角度がθとなる傾斜部（符号省略）が設けられている。この角度θは、９０度未満、好ましくは、４５度未満の範囲内で、任意に設定可能である。
図１１（ｂ）に示したように、フック１１０Ｃの内側上端１１０Ｃｔから爪部１１２Ｃの上端１１２Ｃｔまでの距離ＬｆＣｓは、差込帯２１０Ｃ１等の縦方向の幅ＬｃＣ１等とほぼ等しい。
したがって、第４実施例によれば、フック１１０Ｃは、爪部１１２Ｃが、差込帯２１０Ｃ１等の下端に引っ掛かるように、差込帯２１０Ｃ１等に取り付けることができるため、ケース本体１００Ｃの差込帯２１０Ｃ１等からの脱落を抑制することができる。
【００５４】
フック１１０Ｃの外側上端部には、上側に尖った先鋭部１１４が設けられている。本実施例では、この先鋭部１１４は、フック１１０Ｃの幅方向全体にわたって設けられているものとした。こうすることによって、ユーザが、ケース本体１００Ｃを保護カバー２００Ｃから取り外して、服の胸ポケットに収納している場合であって、前かがみになった場合に、先鋭部１１４が胸ポケットに引っ掛かることによって、胸ポケットから落下することを抑制することができる。
【００５５】
Ｅ．第５実施例：
第５実施例の携帯型情報端末用ケースは、第１実施例の携帯型情報端末用ケース１０と同様に、ケース本体１００Ｄと、保護カバー２００Ｄとを備えている。ただし、第５実施例では、ケース本体１００Ｄおよび保護カバー２００Ｄは、第１実施例におけるケース本体１００および保護カバー２００と、その一部において、それぞれ形状が異なっている。以下、第５実施例の携帯型情報端末用ケースにおけるケース本体１００Ｄおよび保護カバー２００Ｄについて説明する。
【００５６】
図１２は、本発明の第５実施例としての携帯型情報端末用ケースにおけるケース本体１００Ｄの概略構成を示す説明図である。図１２に、ケース本体１００Ｄの正面図を示した。図１２では、ケース本体１００Ｄは、第１実施例におけるケース本体１００、第２実施例におけるケース本体１００Ａと同様に、ケース本体１００Ｄの背面にフック１１０Ｄを備えている。なお、本実施例では、フック１１０Ｄは、２つのフック１１０Ｄａ，１１０Ｄｂからなるものとした。フック１１０Ｄは、３つ以上のフックからなるものとしてもよい。
本実施例は、ケース本体１００Ｄは、スマートフォンの短辺方向、つまり左右方向に引っ掛けるタイプである。第５実施例では、左右方向を引っ掛け方向と呼ぶ。
第５実施例では、２つのフック１１０Ｄａ，１１０Ｄｂが、ケース本体１００Ｄの左右方向の中央線Ｃ上の位置に設けられている。
【００５７】
図１３は、本発明の第５実施例としての携帯型情報端末用ケースにおける保護カバー２００Ｄの概略構成を示す説明図である。図１３に、保護カバー２００Ｄを左右に開いた状態での内側正面図を示した。保護カバー２００Ｄにおいて、図示した右側の装着面には、差込帯２１０Ｄが縦方向に設けられている。
差込帯２１０Ｄの縦方向の長さＷｃＬは、フック１１０Ｄの縦方向の両端１１０ＤａＳＵ、１１０ＤｂＳＬまでの間隔Ｗｆとほぼ等しい。
また、本実施例では、フック１１０Ｄの幅Ｗｆは、ケース本体１００Ｄの長手方向の幅ＷＬの約７０（％）である。フック１１０Ｄの上端部１１０ＤａＳＵ、下端部１１０ＤｂＳＬと、ケース本体１００Ｄの両側面１００ＳＵ，１００ＳＬからの距離ＷＬＵ、ＷＬＬは、幅ＷＬに対して約１５（％）となっている。距離ＷＬＵと距離ＷＬＬとは、異なるようにしてもよい。
以上説明した第５実施例の携帯型情報端末用ケースによっても、第１〜４実施例と同様に、携帯型情報端末としてのスマートフォンが嵌め込まれたケース本体１００Ｄを、ガタつきなく安定的に保護カバー２００Ｄに取り付けることができる。したがって、スマートフォンおよびケース本体１００Ｄを保護カバー２００Ｄに取り付けたまま、スマートフォン（タッチパネル）を安定して操作することができる。
【００５８】
Ｆ．変形例：
以上、本発明のいくつかの実施の形態について説明したが、本発明はこのような実施の形態になんら限定されるものではなく、その要旨を逸脱しない範囲内において種々なる態様での実施が可能である。例えば、以下のような変形が可能である。
上記実施例では、携帯型情報端末として、スマートフォンを用いるものとしたが、本発明は、これに限られない。本発明において、携帯型情報端末は、一般に、平板状の形状を有するとともに、その前面にタッチパネルを備えていればよい。したがって、携帯型情報端末として、平板状の形状を有するとともに、その前面にタッチパネルを備えている携帯電話や、タブレット型端末を適用するようにしてもよい。
例えば、上記第１実施例では、保護カバー２００は、本発明における引掛部として、差込帯２１０を備えるものとしたが、本発明は、これに限られない。保護カバー２００は、差込帯２１０の代わりに、例えば、フック１１０を引っ掛けることができるポケットを備えるようにしてもよい。
上記実施例では、携帯型情報端末用ケースは、スマートフォンの長辺に対して平行な軸を中心として、左開きまたは右開きで使用されるものとしたが、本発明は、これに限られない。携帯型情報端末用ケースは、スマートフォンの短辺に対して平行な軸を中心として、いわゆる上下開きで使用されるように構成してもよい。
上記第１実施例ないし第５実施例の携帯型情報端末用ケースが備える構成の一部を、適宜、省略したり、組み合わせたりするようにしてもよい。
【符号の説明】
【００５９】
１０…携帯型情報端末用ケース
１００，１００Ａ，１００Ｂ，１００Ｃ，１００Ｄ…ケース本体
１００ＳＲ，１００ＳＬ…側面
１１０，１１０ａ，１１０ｂ，１１０Ｂ，１１０Ｃ，１１０Ｄａ，１１０Ｄｂ，１１０Ｄ…フック
１１２ａ，１１２ｂ，１１２ｃ…突条部
１１２Ｃ…爪部
１１４…先鋭部
１２０，１３０，１４０…切欠部
１５０…カメラホール
２００，２００Ａ，２００Ｂ，２００Ｃ，２００Ｄ…保護カバー
２１０，２１０ａ，２１０ｂ，２１０Ｂ，２１０Ｃ１，２１０Ｃ２，２１０Ｃ３，２１０Ｄ…差込帯
２２０，２２０Ｃ…メモ帳挟込部
２３０…筆記具差込部
２４０，２４０ａ，２４０ｂ…カメラホール
【図５】
2014155135.tif 000003
【図６】
2014155135.tif 000004
【図７】
2014155135.tif 000005
【図８】
2014155135.tif 000006
【図９】
2014155135.tif 000007
【図１０】
2014155135.tif 000008
【図１１】
2014155135.tif 000009
【図１２】
2014155135.tif 000010
【図１３】
2014155135.tif 000011
【図１】
2014155135.tif 000012
【図２】
2014155135.tif 000013
【図３】
2014155135.tif 000014
【図４】
2014155135.tif 000015